(57)【要約】  フィラメント電流制御方法及び装置であって、方法は、現在のフィラメント電流値を取得する（Ｓ１１）と、現在のフィラメント電流値が位置する電流範囲を決定する（Ｓ１２）と、位置する電流範囲に従って対応するフィラメント電流と制御電流との対応関係を決定する（Ｓ１３）と、現在のフィラメント電流値と対応関係に従って現在の制御電流を決定する（Ｓ１４）と、を含み、フィラメント変圧器の非線形性による大きなフィラメント電流制御誤差の問題を解決する。
2021524145.tif 000002
【特許請求の範囲】
【請求項１】
フィラメント電流制御方法であって、
現在のフィラメント電流値を取得するステップと、
前記現在のフィラメント電流値が位置する電流範囲を決定するステップと、
位置する電流範囲に従って対応するフィラメント電流と制御電流との対応関係を決定するステップと、
前記現在のフィラメント電流値と前記対応関係に従って現在の制御電流を決定するステップと、を含むことを特徴とするフィラメント電流制御方法。
【請求項２】
前記現在のフィラメント電流値と前記対応関係に従って現在の制御電流を決定するのは、
前記現在のフィラメント電流値と前記対応関係に従って、公式
2021524145.tif 000007
（式中、ｉsaとｉs(a+1)は現在のフィラメント電流値が位置する電流範囲の２つのエンドポイントの電流値であり、ｉpaとｉp(a+1)は前記２つのエンドポイントの電流値によって測定された対応する制御電流の電流値であり、ｉsは前記現在のフィラメント電流値である）によって現在の制御電流ｉpを計算することを含むことを特徴とする請求項１に記載の方法。
【請求項３】
フィラメント電流の動作範囲を複数の連続電流範囲に分割するステップ、及び
任意の電流範囲におけるフィラメント電流と制御電流との対応関係をそれぞれ計算するステップによって前記フィラメント電流と制御電流との対応関係を取得することを特徴とする請求項１または２に記載の方法。
【請求項４】
フィラメント電流の動作範囲を複数の連続電流範囲に分割するのは、
フィラメント電流の動作範囲内でＮ点の電流値を選択し、前記Ｎ点はフィラメント電流の前記動作範囲内で不均一に分布していること、及び
前記Ｎ点によって、前記動作範囲をＮ＋１個の連続フィラメント電流値の電流範囲に分割することを含むことを特徴とする請求項３に記載の方法。
【請求項５】
前記動作範囲内で、フィラメント電流が低から高に変化するに伴って、前記Ｎ点は疎から密に分布することを特徴とする請求項４に記載の方法。
【請求項６】
任意の電流範囲におけるフィラメント電流と制御電流との対応関係をそれぞれ計算するのは、
任意の電流範囲で、前記電流範囲の２つのエンドポイントの電流値を決定することと、
前記２つのエンドポイントの電流値によって、対応するフィラメント変圧器の制御電流を測定することと、
前記電流範囲の２つのエンドポイントの電流値、及び測定された対応するフィラメント変圧器の制御電流によって、該電流範囲内のフィラメント電流と制御電流との対応関係を計算することと、を含むことを特徴とする請求項５に記載の方法。
【請求項７】
フィラメント電流制御装置であって、
現在のフィラメント電流値を取得するための取得モジュールと、
前記現在のフィラメント電流値が位置する電流範囲を決定するための分析モジュールと、
位置する電流範囲に従って対応するフィラメント電流と制御電流との対応関係を決定するための決定モジュールと、
前記現在のフィラメント電流値と前記対応関係に従って現在の制御電流を決定するための処理モジュールと、を備えることを特徴とするフィラメント電流制御装置。
【請求項８】
前記処理モジュールは、
前記現在のフィラメント電流値と前記対応関係に従って、公式
2021524145.tif 000008
（式中、ｉsaとｉs(a+1)は現在のフィラメント電流値が位置する電流範囲の２つのエンドポイントの電流値であり、ｉpaとｉp(a+1)は前記２つのエンドポイントの電流値によって測定された対応する制御電流の電流値であり、ｉsは前記現在のフィラメント電流値である）によって現在の制御電流ｉpを計算するための計算ユニットを含むことを特徴とする請求項７に記載の装置。
【請求項９】
電子機器であって、
メモリとプロセッサを備え、前記メモリと前記プロセッサは互いに通信接続され、前記メモリにコンピュータ命令が記憶され、前記プロセッサは前記コンピュータ命令を実行することによって、請求項１〜６のいずれかに記載のフィラメント電流制御方法を実行することを特徴とする電子機器。
【請求項１０】
コンピュータ読み取り可能な記憶媒体であって、前記コンピュータ読み取り可能な記憶媒体にコンピュータ命令が記憶され、前記コンピュータ命令は請求項１〜６のいずれかに記載のフィラメント電流制御方法を前記コンピュータに実行させるために使用されることを特徴とするコンピュータ読み取り可能な記憶媒体。
【発明の詳細な説明】
【技術分野】
【０００１】
本発明は、医療機器分野に関し、具体的にフィラメント電流制御方法及び装置に関する。
【背景技術】
【０００２】
ｘ線球管の管電流はｘ線の放射量を決定し、診断と治療の品質に決定的な影響を及ぼす。ｘ線球管では、管電流はフィラメントが加熱されて励起された電子によって高電圧電界の作用下で形成された。管電流の大きさはフィラメントの温度によって影響を受け、フィラメントの温度はフィラメント電流の大きさによって決められる。つまり、フィラメント電流の大きさは、ｘ線球管のｘ線の放射量に影響を及ぼすため、フィラメント電流制御は特に重要になる。
【０００３】
図１は、従来の技術におけるフィラメント電源回路トポロジー構造であり、図１に示すように、フィラメント変圧器によってフィラメント電流を制御する場合、所望のフィラメント変圧器であれば、一次側電流を二次側に変換する時、変換された二次側電流と実際のフィラメント電流は等しくなるべきである。しかし、実際のフィラメント変圧器の非線形性により、変換された二次側電流は実際のフィラメント電流と等しくなく、フィラメント電流制御に大きな制御誤差をもたらす。
【発明の概要】
【発明が解決しようとする課題】
【０００４】
これに鑑みて、本発明の実施例は、フィラメント変圧器の非線形性による大きなフィラメント電流制御誤差の問題を解決するように、フィラメント電流制御方法及び装置を提供する。
【０００５】
第１態様によれば、本発明の実施例は、フィラメント電流制御方法を提供し、現在のフィラメント電流値を取得するステップと、前記現在のフィラメント電流値が位置する電流範囲を決定するステップと、位置する電流範囲に従って対応するフィラメント電流と制御電流の対応関係を決定するステップと、前記現在のフィラメント電流値と前記対応関係に従って現在の制御電流を決定するステップと、を含む。
【０００６】
第１態様を参照すると、第１態様の第１実施形態において、前記現在のフィラメント電流値と前記対応関係に従って現在の制御電流を決定するのは、前記現在のフィラメント電流値と前記対応関係に従って、公式
2021524145.tif 000003
（式中、ｉsaとｉs(a+1)は現在のフィラメント電流値が位置する電流範囲の２つのエンドポイントの電流値であり、ｉpaとｉp(a+1)は前記２つのエンドポイントの電流値によって測定された対応する制御電流の電流値であり、ｉsは前記現在のフィラメント電流値である）によって現在の制御電流ｉpを計算することを含む。
【０００７】
第１態様または第１態様の第１実施形態を参照すると、第１態様の第２実施形態において、フィラメント電流の動作範囲を複数の連続電流範囲に分割するステップ、及び任意の電流範囲におけるフィラメント電流と制御電流との対応関係をそれぞれ計算するステップによって前記フィラメント電流と制御電流との対応関係を取得する。
【０００８】
第１態様の第２実施形態を参照すると、第１態様の第３実施形態において、フィラメント電流の動作範囲を複数の連続電流範囲に分割するのは、フィラメント電流の動作範囲内でＮ点の電流値を選択し、前記Ｎ点はフィラメント電流の前記動作範囲内で不均一に分布していること、及び前記Ｎ点によって、前記動作範囲をＮ＋１個の連続フィラメント電流値の電流範囲に分割することを含む。
【０００９】
第１態様の第３実施形態を参照すると、第１態様の第４実施形態において、前記動作範囲内で、フィラメント電流が低から高に変化するに伴って、前記Ｎ点は疎から密に分布する。
【００１０】
第１態様の第２実施形態を参照すると、第１態様の第５実施形態において、任意の電流範囲におけるフィラメント電流と制御電流との対応関係をそれぞれ計算するのは、任意の電流範囲で、前記電流範囲の２つのエンドポイントの電流値を決定することと、前記２つのエンドポイントの電流値によって、対応するフィラメント変圧器の制御電流を測定することと、前記電流範囲の２つのエンドポイントの電流値、及び測定された対応するフィラメント変圧器の制御電流によって、該電流範囲内のフィラメント電流と制御電流との対応関係を計算することと、を含む。
【００１１】
第２態様によれば、本発明の実施例はフィラメント電流制御装置を提供し、現在のフィラメント電流値を取得するための取得モジュールと、前記現在のフィラメント電流値が位置する電流範囲を決定するための分析モジュールと、位置する電流範囲に従って対応するフィラメント電流と制御電流との対応関係を決定するための決定モジュールと、前記現在のフィラメント電流値と前記対応関係に従って現在の制御電流を決定するための処理モジュールと、を備える。
【００１２】
第１態様を参照すると、第１態様の第１実施形態において、前記処理モジュールは、
前記現在のフィラメント電流値と前記対応関係に従って、公式
2021524145.tif 000004
（式中、ｉsaとｉs(a+1)は現在のフィラメント電流値が位置する電流範囲の２つのエンドポイントの電流値であり、ｉpaとｉp(a+1)は前記２つのエンドポイントの電流値によって測定された対応する制御電流の電流値であり、ｉsは前記現在のフィラメント電流値である）によって現在の制御電流ｉpを計算するための計算ユニットを含む。
【００１３】
第３態様によれば、本発明の実施例はサーバを提供し、メモリとプロセッサを含み、メモリとプロセッサは互いに通信接続され、メモリにコンピュータ命令が記憶され、プロセッサはコンピュータ命令を実行することによって、上記の実施例におけるフィラメント電流制御方法を実行する。
【００１４】
第４態様によれば、本発明の実施例はコンピュータ読み取り可能な記憶媒体を提供し、コンピュータ読み取り可能な記憶媒体にコンピュータ命令が記憶され、コンピュータ命令は、上記の実施例におけるフィラメント電流制御方法をコンピュータに実行させるために使用される。
【発明の効果】
【００１５】
本発明の実施例において、上記の現在のフィラメント電流値を取得するステップと、前記現在のフィラメント電流値が位置する電流範囲を決定するステップと、位置する電流範囲に従って対応するフィラメント電流と制御電流との対応関係を決定するステップと、前記現在のフィラメント電流値と前記対応関係に従って現在の制御電流を決定するステップと、を含む方法によって、フィラメント変圧器の非線形性による大きなフィラメント電流制御誤差の問題を解決し、フィラメント電流制御精度を向上させる。
【図面の簡単な説明】
【００１６】
本発明の特徴と利点は、図面を参照することによってより明らかに理解され、図面は、例示的なものであり、本発明を限定するものとして理解されるべきではない。
【００１７】
【図１】従来の技術におけるフィラメント電源回路トポロジー構造を示す模式図である。
【図２】本発明の実施例による選択可能なフィラメント電流制御方法を示すフローチャートである。
【図３】特定のアプリケーションシナリオでの制御電流とフィラメント電流の関係を示す模式図である。
【図４】本発明の実施例による選択可能なフィラメント電流制御装置を示す模式図である。
【図５】本発明の実施例による選択可能なサーバを示す模式図である。
【発明を実施するための形態】
【００１８】
本発明の実施例の目的、技術的解決手段及び利点をより明確にするため、以下に、本発明の実施例の図面と組み合わせて、本発明の実施例の技術的解決手段を明確に、完全に述べ、明らかに、述べられる実施例は本発明の一部の実施例であり、すべての実施例ではない。本発明の実施例に基づき、当業者が創造的な労働なしに得られたその他のすべての実施例は、本発明の保護範囲内にある。
【００１９】
実施例１
本発明の実施例はフィラメント電流制御方法を提供し、図２は本発明の実施例による選択可能なフィラメント電流制御方法を示すフローチャートであり、図２に示すように、該方法は、以下を含む。
【００２０】
ステップＳ１１、現在のフィラメント電流値を取得する。
【００２１】
具体的には、フィラメント電流の動作範囲はＩa〜Ｉbとして示すことができる。現在のフィラメント電流値は動作範囲内のいずれかの電流値であってもよい。
【００２２】
ステップＳ１２、前記現在のフィラメント電流値が位置する電流範囲を決定する。
【００２３】
具体的には、フィラメント電流の動作範囲は複数の電流範囲に分割することができ、現在のフィラメント電流値に従って、フィラメント電流の動作範囲内での具体的な電流範囲を決定することができる。
【００２４】
ステップＳ１３、位置する電流範囲に従って対応するフィラメント電流と制御電流との対応関係を決定する。
【００２５】
具体的には、制御電流は、フィラメント変圧器の一次側電流を二次側に変換する時の電流であってもよく、なお、実際のフィラメント変圧器の非線形性により、図３は実際のアプリケーションシナリオでの、制御電流ｉpとフィラメント電流ｉsとの関係曲線の模式図である。本発明の実施例において、現在のフィラメント電流値が位置する電流範囲によって、フィラメント電流と制御電流との対応関係をさらに取得することができる。
【００２６】
ステップＳ１４、前記現在のフィラメント電流値と前記対応関係に従って現在の制御電流を決定する。
【００２７】
本発明の実施例において、上記ステップＳ１１〜ステップＳ１４によれば、現在のフィラメント電流値の動作範囲内での具体的な電流範囲に従って、該電流範囲内でのフィラメント電流と制御電流との対応関係を決定し、現在のフィラメント電流値と対応関係に従って現在の制御電流を決定する方式は、理想的な場合に、制御電流とフィラメント電流が等しく、現在の制御電流を現在のフィラメント電流値として設定する方法と比べて、制御精度を向上させ、フィラメント変圧器の非線形性による大きなフィラメント電流制御誤差の問題を解決する。
【００２８】
本発明のいくつかの選択可能な実施形態において、ステップＳ１４は、
前記現在のフィラメント電流値と前記対応関係に従って、公式
2021524145.tif 000005
（式中、ｉsaとｉs(a+1)は現在のフィラメント電流値が位置する電流範囲の２つのエンドポイントの電流値であり、ｉpaとｉp(a+1)は前記２つのエンドポイントの電流値によって測定された対応する制御電流の電流値であり、ｉsは前記現在のフィラメント電流値である）によって現在の制御電流ｉpを計算することを含んでもよい。
【００２９】
本発明のいくつかの実施形態において、以下のようなステップに従って上記のステップＳ１３における前記フィラメント電流と制御電流との対応関係を取得することができる。
【００３０】
ステップＳ２１、フィラメント電流の動作範囲を複数の連続電流範囲に分割する。
【００３１】
ステップＳ２２、任意の電流範囲におけるフィラメント電流と制御電流との対応関係をそれぞれ計算する。
【００３２】
具体的には、０−５アンペアのフィラメント電流の動作範囲を例として、フィラメント電流の動作範囲を５つの連続電流範囲に分割でき、例えば、５つの連続電流範囲はそれぞれ０−１アンペア、１−２アンペア、２−３アンペア、３−４アンペア及び４−５アンペアであってもよい。上記の５つの電流範囲について、いずれかの電流範囲内で、フィラメント電流と制御電流との対応関係をそれぞれ計算することができる。計算方法は、いずれかの電流範囲内の少なくとも１つの電流値を選択し、フィラメント電流が該電流値である時、対応する制御電流を測定し、該電流値及び測定された制御電流によって、該電流範囲内のフィラメント電流と制御電流との対応関係を決定することであってもよい。本発明の実施例において、複数の電流範囲を分割し、いずれかの電流範囲内で、フィラメント電流と制御電流との対応関係をそれぞれ決定することによって、フィラメント電流の動作範囲内でのフィラメント電流と制御電流との対応関係の正確さを向上させる。
【００３３】
なお、本発明の実施例において、フィラメント電流の動作範囲を複数の連続電流範囲に分割する場合、電流範囲を分割すればするほど、フィラメント電流と制御電流との対応関係の計算が正確になり、最終的に決定された制御電流の誤差が小さくなり、制御精度が高くなる。
【００３４】
本発明のいくつかの実施形態において、上記のステップＳ２１では、フィラメント電流の動作範囲を複数の連続電流範囲に分割するのは、
フィラメント電流の動作範囲内でＮ点の電流値を選択すること、及び
前記Ｎ点によって、前記動作範囲をＮ＋１個の連続フィラメント電流値の電流範囲に分割することを含んでもよい。
【００３５】
具体的には、Ｎ点はフィラメント電流の動作範囲内に均一に分布してもよいし、フィラメント電流の動作範囲内に不均一に分布してもよい。Ｎ点はフィラメント電流の動作範囲内に不均一に分布している場合、フィラメント電流が低から高に変化するに伴って、Ｎ点が疎から密に分布する。例えば、Ｎ＝７、且つフィラメント電流の動作範囲が０〜５アンペアであると、０〜２アンペアの範囲内で、２つの点を選択でき、２〜５アンペアの範囲内で、５つの点を選択できる。
【００３６】
なお、フィラメント電流が低い場合、制御電流とフィラメント電流の両方の値の差が小さく、フィラメント電流が高い場合、制御電流とフィラメント電流の両方の値の差が大きい。且つ実際のアプリケーションでは、フィラメント電流は主に動作範囲の後半で動作する。このため、Ｎ点を、フィラメント電流が低から高に変化するに伴って、疎から密に設置することができ、フィラメント電流が主に動作する電流領域で異なる電流範囲をより集中的に分割することにより、制御電流を計算する際に、その精度を向上させることができる。
【００３７】
本発明のいくつかの代替実施形態において、上記のステップＳ２２では、任意の電流範囲におけるフィラメント電流と制御電流との対応関係をそれぞれ計算するのは、
任意の電流範囲で、前記電流範囲の２つのエンドポイントの電流値を決定することと、前記２つのエンドポイントの電流値によって、対応するフィラメント変圧器の制御電流を測定することと、前記電流範囲の２つのエンドポイントの電流値、及び測定された対応するフィラメント変圧器の制御電流によって、該電流範囲内のフィラメント電流と制御電流との対応関係を計算することと、を含んでもよい。
【００３８】
具体的には、いずれかの現在のフィラメント電流値ｉsについて、位置する電流範囲は、［ｉsa，ｉs(a+1)］（１≦ａ≦Ｎ）として示すことができ、電流範囲の２つのエンドポイントｉsaとｉs(a+1)に対応する制御電流をそれぞれ測定し、測定された制御電流はそれぞれｉpaとｉp(a+1)として示すことができ、ｉsa、ｉs(a+1)、ｉpa及びｉp(a+1)によって該電流範囲内のフィラメント電流と制御電流との対応関係を計算することができる。
【００３９】
実施例２
本発明の実施例によれば、フィラメント電流制御装置を提供し、図４は本発明の実施例による選択可能なフィラメント電流制御装置を示す模式図であり、図４に示すように、該装置は、
実施例１におけるステップＳ１１の説明を参照するように、現在のフィラメント電流値を取得するための取得モジュール４１と、
実施例１におけるステップＳ１２の説明を参照するように、前記現在のフィラメント電流値が位置する電流範囲を決定するための分析モジュール４２と、
実施例１におけるステップＳ１３の説明を参照するように、位置する電流範囲に従って対応するフィラメント電流と制御電流との対応関係を決定するための決定モジュール４３と、
実施例１におけるステップＳ１４の説明を参照するように、前記現在のフィラメント電流値と前記対応関係に従って現在の制御電流を決定するための処理モジュール４４と、を備える。
【００４０】
本発明の実施例において、上記のように、現在のフィラメント電流値を取得するための取得モジュール４１と、前記現在のフィラメント電流値が位置する電流範囲を決定するための分析モジュール４２と、位置する電流範囲に従って対応するフィラメント電流と制御電流の対応関係を決定するための決定モジュール４３と、前記現在のフィラメント電流値と前記対応関係に従って現在の制御電流を決定するための処理モジュール４４と、を備えることによって、フィラメント変圧器の非線形性による大きなフィラメント電流制御誤差の問題を解決する。
【００４１】
本発明のいくつかの代替実施形態において、前記処理モジュールは、
前記現在のフィラメント電流値と前記対応関係に従って、公式
2021524145.tif 000006
（式中、ｉsaとｉs(a+1)は現在のフィラメント電流値が位置する電流範囲の２つのエンドポイントの電流値であり、ｉpaとｉp(a+1)は前記２つのエンドポイントの電流値によって測定された対応する制御電流の電流値であり、ｉsは前記現在のフィラメント電流値である）によって現在の制御電流ｉpを計算するための計算ユニットを含む。
【００４２】
実施例３
本発明の実施例はサーバをさらに提供し、図５に示すように、該サーバはプロセッサ５１とメモリ５２を含んでもよく、プロセッサ５１とメモリ５２はバス或いはその他の方式によって接続することができ、図５ではバスによる接続を例とする。
【００４３】
プロセッサ５１は中央プロセッサ（Ｃｅｎｔｒａｌ  Ｐｒｏｃｅｓｓｉｎｇ  Ｕｎｉｔ、ＣＰＵ）であってもよい。プロセッサ５１はその他の汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  ＩｎｔｅｇｒａｔｅｄＣｉｒｃｕｉｔ、ＡＳＩＣ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）或いはその他のプログラマブルロジックデバイス、離散ゲート或いはトランジスタ論理デバイス、離散ハードウェアコンポーネントなどのチップ、或いは上記の様々なチップの組合わせであってもよい。
【００４４】
メモリ５２は、非一時的なコンピュータ読み取り可能な記憶媒体として、非一時的なソフトウェアプログラム、非一時的なコンピュータ実行可能プログラム及びモジュール、例えば本発明の実施例における車載表示装置のキーシールド方法に対応するプログラム命令／モジュール（例えば、図４に示す取得モジュール４１、分析モジュール４２、決定モジュール４３及び処理モジュール４４）を記憶するために使用することができる。プロセッサ５１は、メモリ５２に記憶された非一時的なソフトウェアプログラム、命令及びモジュールを実行することによって、プロセッサの様々な機能的アプリケーション及びデータ処理を実行し、即ち上記方法の実施例におけるフィラメント電流制御方法を実現する。
【００４５】
メモリ５２は、プログラム記憶領域とデータ記憶領域を含んでもよく、プログラム記憶領域は、操作システムと少なくとも１つの機能に必要なアプリケーションプログラムを記憶することができ、データ記憶領域は、プロセッサ５１によって作成されたデータ等を記憶することができる。さらに、メモリ５２は、高速ランダムアクセスメモリを含んでもよいし、非一時的なメモリ、例えば少なくとも１つの磁気ディスクストレージデバイス、フラッシュメモリデバイス、またはその他の非一時的なソリッドステートストレージデバイスを含んでもよい。いくつかの実施例において、メモリ５２は、プロセッサ５１に対して遠隔的に配置されたメモリを含んでもよく、これらのリモートメモリはネットワークを介してプロセッサ５１に接続することができる。上記ネットワークの例は、インターネット、企業イントラネット、ローカルエリアネットワーク、モバイル通信ネットワーク及びその組み合わせを含むが、これらに制限されない。
【００４６】
前記１つまたは複数のモジュールは前記メモリ５２に記憶され、前記プロセッサ５１によって実行される時、図２に示す実施例におけるフィラメント電流制御方法を実行する。
【００４７】
上記サーバの具体的な詳細は図２に示す実施例に対応する関連説明と効果を対応的に参照することによって理解することができ、ここで説明しない。
【００４８】
当業者は、上記の実施例方法における全部または一部のステップが、コンピュータプログラムを介して関連するハードウェアを命令することによって完成することができ、前記プログラムがコンピュータ読み取り可能な記憶媒体に記憶されてもよく、該プログラムが実行される場合、上記のような各方法の実施例のステップを含んでもよいことを理解することができる。前記記憶媒体は、ディスク、ＣＤ、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、フラッシュメモリ（Ｆｌａｓｈ  Ｍｅｍｏｒｙ）、ハードディスクドライブ（Ｈａｒｄ  Ｄｉｓｋ  Ｄｒｉｖｅ、略語：ＨＤＤ）またはソリッドステートドライブ（Ｓｏｌｉｄ−Ｓｔａｔｅ  Ｄｒｉｖｅ、ＳＳＤ）などであってもよく、前記記憶媒体は上記の様々なメモリの組合わせを含んでもよい。
【００４９】
図面を参照して本発明の実施例を説明したが、当業者は、本発明の精神と範囲から逸脱することなく、様々な修正と変形を行うことができ、このような修正と変形はすべて添付の特許請求の範囲によって限定された範囲内にある。
【図１】
2021524145.tif 000009
【図２】
2021524145.tif 000010
【図３】
2021524145.tif 000011
【図４】
2021524145.tif 000012
【図５】
2021524145.tif 000013
【国際調査報告】
2021524145.tif 000014
2021524145.tif 000015
2021524145.tif 000016
2021524145.tif 000017
2021524145.tif 000018
2021524145.tif 000019